【手続補正書】
【提出日】平成21年12月24日(2009.12.24)
【手続補正１】
【補正対象書類名】特許請求の範囲
【補正対象項目名】全文
【補正方法】変更
【補正の内容】
【特許請求の範囲】
【請求項１】
少なくとも３つの端末間でのマルチユーザ通信セッションを確立するための方法であって、
（ａ）互換性のないメディア特性を有する端末を備えるユーザを前記通信セッションに参加するよう招待する段階と、
（ｂ）前記端末に関する情報に基づいて、前記端末間でのトランスコーディングを可能にするトランスコーディングセッションを設定する段階であって、前記情報は前記端末のメディア特性を含む段階と、
（ｃ）前記トランスコーディングセッションに従ってセッション記述を確立する段階であって、前記セッション記述は、少なくとも一つの端末の少なくとも一つのメディア特性を含む段階と、
（ｄ）前記通信セッション中に、メディアストリームを、前記トランスコーディングセッションに従ってトランスコードし、前記トランスコードされたメディアストリームを、前記セッション記述に従って、他の端末に、該他の端末のメディア特性を使用して伝送する段階と、
（ｄ１）前記通信セッション中に、新たなユーザが前記通信セッションに参加するときに前記新たなユーザの端末に関する情報に基づいて前記トランスコーディングセッションを更新すると共に、参加しているユーザが前記通信セッションを離脱するときに前記トランスコーディングセッションを更新する段階と
を含む方法。
【請求項２】
（ｅ）前記ステップ（ａ）は、前記セッション記述を含む招待要求を前記少なくとも一つの端末から中央ネットワーク要素に伝送する段階を含み、または、
（ｆ）前記ステップ（ｂ）は、トランスコーディングサーバを通じて前記トランスコーディングセッションを設定するために前記中央ネットワーク要素から要求を受信する段階を含み、または、
（ｇ）前記ステップ（ｃ）において、前記メディア特性はコーデックである請求項１記載の方法。
【請求項３】
（ｈ）前記トランスコーディングサーバにおいてトランスコーディングリソースを確立する段階と、
（ｉ）前記トランスコーディングサーバを通るメディアストリームフローを確立する段階と
を更に含む請求項２記載の方法。
【請求項４】
（ｊ）前記ステップ（ｈ）は、
セッション識別情報、
前記トランスコーディングサーバによってサポートされるフォーマットおよびコーデックのリスト、および
前記メディアストリームフローが前記トランスコーディングサーバを通るためのIPアドレスおよびポートのリスト
のうちの少なくとも1つを含むトランスコーディングセッション情報を提供する段階を含み、または、
（ｋ）前記ステップ（ｉ）において、前記メディアストリームフローは、トークバーストパケットおよびメディアパケットを含み、または、
（ｌ）前記ステップ（ｉ）は、前記メディアストリームフロー、前記通信セッション、および中央ネットワーク要素を通じた前記トランスコーディングセッションを管理する段階を含み、または、
（ｉｉ）前記ステップ（ｉ）は、すべてのメディアストリームフローを前記トランスコーディングサーバに供給する段階を含み、または、
（ｉｉｉ）前記ステップ（ｉ）は、すべてのメディアストリーム流れを中央ネットワーク要素に供給する段階を含む請求項３記載の方法。
【請求項５】
（ｍ）前記ステップ（ｊ）は、前記セッション識別情報を有する前記トランスコーディングセッション情報、前記ＩＰアドレスおよびポートのリスト、および前記端末のトランスコーディングフォーマットおよびコーデックを更新する段階を更に含み、
（ｎ）前記ステップ（ｃ）は、前記更新されたトランスコーディングセッション情報に従って前記セッション記述を更新する段階を含む請求項４記載の方法。
【請求項６】
（ｐ）前記ステップ（ｍ）は、各ユーザの前記端末によって供給される情報に基づいて前記トランスコーディングサーバを通る前記メディアストリームフロー及び前記トランスコーディングリソースを更新する段階を更に含み、
（ｒ）ここで、前記トランスコーディングリソース及び前記メディアストリームフローを更新する段階は、実行すべきトランスコーディング操作と、トランスコードされたメディアストリームが送信されるべき前記ＩＰアドレス及びポートを判定する段階を含む請求項５記載の方法。
【請求項７】
（ｓ）前記ステップ（ｋ）では、前記トークバーストパケットは、前記端末と前記中央ネットワーク要素との間のトーク要求および応答を含み、または、
（ｔ）前記ステップ（ｋ）では、前記メディアパケットは、前記トランスコーディングサーバでトランスコードされ、前記トークバーストパケットは、前記中央ネットワーク要素に転送され、または、
（ｕ）前記ステップ（ｋ）では、前記メディアパケットのみが前記トランスコーディングサーバに転送され、または、
（ｖ）前記ステップ（ｌ）では、前記トランスコーディングは、前記端末が配置されたローカルネットワークによって更に管理され、トーク許可は、前記中央ネットワーク要素によって管理される請求項４記載の方法。
【請求項８】
少なくとも３つの端末間でのマルチユーザ通信セッションを確立するためのシステムであって、
（ａ）互換性のないメディア特性を有する端末を備えるユーザを前記通信セッションに参加するよう招待するための手段と、
（ｂ）前記端末に関する情報に基づいて、前記端末間でのトランスコーディングを可能にするトランスコーディングセッションを設定するための手段であって、前記情報は前記端末のメディア特性を含む手段と、
（ｃ）前記トランスコーディングセッションに従ってセッション記述を確立するための手段であって、前記セッション記述は、少なくとも一つの端末の少なくとも一つのメディア特性を含む手段と、
（ｄ）前記少なくとも一つの端末で、メディアストリームを、前記トランスコーディングセッションに従ってトランスコードし、前記トランスコードされたメディアストリームを、前記セッション記述に従って、他の端末に、該他の端末のメディア特性を使用して伝送するための手段と、
（ｄ１）前記通信セッション中に、新たなユーザが前記通信セッションに参加するときに前記新たなユーザの端末に関する情報に基づいて前記トランスコーディングセッションを更新すると共に、参加しているユーザが前記通信セッションを離脱するときに前記トランスコーディングセッションを更新するための手段と
を含むシステム。
【請求項９】
（ｅ）前記手段（ａ）はネットワーク要素を備え、該ネットワーク要素は、
（ｅ１）中央ネットワーク要素、または、
（ｅ２）ユーザの端末を包含するローカルネットワークの要素からなるローカルネットワーク要素のうちの１又は２以上のネットワーク要素を備えた請求項８記載のシステム。
【請求項１０】
（ｆ）前記中央ネットワーク要素は、メディアストリームフロー、前記通信セッション、および前記トランスコーディングセッションを管理するための手段を備え、
または、
（ｆ１）前記中央ネットワーク要素および前記ローカルネットワーク要素の両方は、メディアストリームフロー、前記通信セッション、および前記トランスコーディングセッションを管理するための手段を備えた請求項９記載のシステム。
【請求項１１】
（ｇ）前記手段（ａ）は、前記セッション記述を含む招待要求を前記少なくとも一つの端末から前記中央ネットワーク要素に伝送するための手段を含み、または、
（ｈ）前記手段（ｂ）は、トランスコーディングサーバを通じて前記トランスコーディングセッションを設定するために前記中央ネットワーク要素から要求を受信するための手段を含み、または、
（ｉ）前記手段（ｃ）において、前記メディア特性はコーデックである請求項８乃至１０の何れか１項記載のシステム。
【請求項１２】
（ｊ）前記トランスコーディングサーバにおいてトランスコーディングリソースを確立するための手段と、
（ｋ）前記トランスコーディングサーバを通るメディアストリームフローを確立するための手段とを更に備えた請求項１１記載のシステム。
【請求項１３】
前記トランスコーディングサーバは、
（ｌ）トランスコーディングセッション情報を提供するための手段を更に備えた請求項１１または１２記載のシステム。
【請求項１４】
（ｍ）前記手段（ｌ）は、
セッション識別情報、
前記トランスコーディングサーバによってサポートされるフォーマットおよびコーデックのリスト、および
前記メディアストリームフローが前記トランスコーディングサーバを通るためのＩＰアドレスおよびポートのリストのうちの少なくとも1つを提供し、または、
（ｎ）前記手段（ｋ）において、前記メディアストリームフローは、トークバーストパケットおよびメディアパケットを含み、または、
（ｐ）前記手段（ｋ）は、すべてのメディアストリームフローを前記トランスコーディングサーバに供給するための手段を含み、または、
（ｒ）前記手段（ｋ）は、すべてのメディアストリームフローを前記中央ネットワーク要素に供給するための手段を備えた請求項１３記載のシステム。
【請求項１５】
前記トランスコーディングサーバは、
前記ユーザの前記端末に関する情報を有する前記トランスコーディングセッション情報を更新するための手段、または、
前記更新されたトランスコーディングセッション情報に従って前記セッション記述を更新するための手段、または、
各ユーザの前記端末によって供給される情報に基づいて前記トランスコーディングサーバを通る前記メディアストリームフロー及び前記トランスコーディングリソースを更新するための手段、または、
実行すべきトランスコーディング操作と、トランスコードされたメディアストリームが送信されるべき前記ＩＰアドレス及びポートのリストを判定するための手段、または、
前記メディアパケットをトランスコーディングするための手段および前記トークバーストパケットを前記中央ネットワーク要素に転送するための手段、または、
前記メディアパケットのみを受信してトランスコーディングするための手段のうちの１又は２以上を更に備えた請求項１３または１４記載のシステム。
【請求項１６】
前記トークバーストパケットは、前記端末と前記ネットワーク要素との間のトーク要求および応答を含む請求項１４または１５記載のシステム。
【請求項１７】
前記トランスコーディングサーバは、複数のトランスコーディングサーバを含み、各トランスコーディングサーバは、ユーザの端末を包含するローカルネットワークの要素からなる各ローカルネットワーク要素に接続され、前記各ローカルネットワーク要素は、前記トランスコーディングサーバを管理するための手段を備えた請求項８記載のシステム。
【請求項１８】
前記トランスコーディングサーバは、前記少なくとも一つの端末から前記中央ネットワーク要素への前記招待要求を傍受し、前記中央ネットワーク要素と前記少なくとも一つの端末との間の通信経路内のプロキシサーバとして機能するするための手段を備えた請求項１１乃至１７の何れか１項記載のシステム。
【請求項１９】
前記中央ネットワーク要素は、どの端末がトーク許可を有するかを前記トランスコーディングサーバに通知するための手段を備え、または、
前記トランスコーディングサーバは、前記トークバーストパケットを調べることにより、どの端末がトーク許可を有するかを推論する請求項１４乃至１８の何れか１項記載のシステム。